(57)【要約】【課題】簡単な操作によって確実に薬液の流路の開閉を切換えることのできるミストブロワを提供する。【解決手段】送風管６０には、使用者が使用時に把持するハンドル６２が設けられ、ハンドル６２の近傍には、押下操作可能な操作ボタン８３が設けられ、操作ボタン８３の押下操作毎に流路開閉弁８０の開閉が切換えられる。これにより、簡単な操作ボタン８３の同じ押下操作によって確実に連通孔８１ｄが開放または閉鎖された状態に切り換わるので、使用者の手や体が不用意に操作ボタン８３に接触する機会が減り、使用者が気付かずに連通孔８１ｄが開放されて薬液が放出されるという不都合が生じることを防止できる。【選択図】図１
2013085539.tif 000002
【特許請求の範囲】
【請求項１】
送風機から送出された空気を流通させて端部から吐出させる送風管と、前記送風管を流通する空気に混合して散布する液体を流通させる送液管と、前記送液管に設けられ、液体の流路を開閉する開閉弁と、前記開閉弁の操作を行う操作部と、を備えたミストブロワにおいて、
前記送風管には、使用者が使用時に把持する把持部が設けられ、
前記操作部は、前記把持部の近傍に設けられた押下操作可能なボタンスイッチであり、
前記開閉弁は、前記ボタンスイッチの押下操作毎に流路の開閉が切換えられる
ことを特徴とするミストブロワ。
【請求項２】
前記ボタンスイッチは、前記送風管における、使用者の前記把持部を把持する手と反対の手側に配置されている
ことを特徴とする請求項１に記載のミストブロワ。
【請求項３】
前記ボタンスイッチは、上方から下方に向かって押下操作可能に配置されている
ことを特徴とする請求項２に記載のミストブロワ。
【請求項４】
前記把持部は、前記送風管の上部から上方に延びるように形成され、
前記ボタンスイッチは、前記把持部の基端部の近傍に設けられている
ことを特徴とする請求項３に記載のミストブロワ。
【請求項５】
前記ボタンスイッチの近傍には、前記ボタンスイッチの外周側の少なくとも一部を囲む壁が設けられている
ことを特徴とする請求項１乃至４のいずれかに記載のミストブロワ。
【発明の詳細な説明】
【技術分野】
【０００１】
本発明は、送風機から送出された空気によって農薬等の薬液を散布するためのミストブロワに関するものである。
【背景技術】
【０００２】
従来、この種のミストブロワでは、送風機から送出された空気を流通させて端部から吐出させる送風管を備えており、送風管から吐出される空気に農薬等の薬液を混合することによって薬液を散布するようにしたものが知られている。前記ミストブロワは、薬液が貯蔵された液タンクから送風管に流入させる薬液を流通させる送液管を有し、送液管には薬液の流路を開閉するための開閉弁が設けられている。この開閉弁は、使用者が手で操作可能な操作部によって薬液の流路の開閉操作が行われる（例えば、特許文献１参照）。
【先行技術文献】
【特許文献】
【０００３】
【特許文献１】実開平０１−１６３５６１号公報
【発明の概要】
【発明が解決しようとする課題】
【０００４】
前記ミストブロワでは、操作部を操作方向一方に向かって移動させる操作を行うことによって薬液の流路を開放し、操作方向他方に向かって移動させる操作を行うことによって薬液の流路を閉鎖するようになっている。前記操作部は、所定範囲内を移動自在であり、所定範囲内の一端と他端との間に位置させることが可能である。このため、前記ミストブロワでは、使用者の手や体が不用意に操作部に接触してしまう場合に操作部が所定範囲内の一端と他端との間に移動し、意図せず流路が開放されて薬液が放出される状態となり、使用者が気付かずに薬液が放出されるおそれがある。
【０００５】
本発明の目的とするところは、簡単な操作によって確実に薬液の流路の開閉を切換えることのできるミストブロワを提供することにある。
【課題を解決するための手段】
【０００６】
本発明は、前記目的を達成するために、送風機から送出された空気を流通させて端部から吐出させる送風管と、前記送風管を流通する空気に混合して散布する液体を流通させる送液管と、前記送液管に設けられ、液体の流路を開閉する開閉弁と、前記開閉弁の操作を行う操作部と、を備えたミストブロワにおいて、前記送風管には、使用者が使用時に把持する把持部が設けられ、前記操作部は、前記把持部の近傍に設けられた押下操作可能なボタンスイッチであり、前記開閉弁は、前記ボタンスイッチの押下操作毎に流路の開閉が切換えられる。
【０００７】
これにより、使用者が把持した把持部の近傍に設けられたボタンスイッチの押下操作によって液体の流路の開閉が切換えられることから、簡単な操作部の操作によって確実に流路が開放または閉鎖された状態となる。
【発明の効果】
【０００８】
本発明によれば、簡単な操作部の操作によって確実に流路が開放または閉鎖された状態となるので、使用者の手や体が不用意に操作部に接触する機会が減り、使用者が気付かずに薬液の流路が開放されて薬液が放出されるという不都合が生じることを防止できる。
【図面の簡単な説明】
【０００９】
【図１】本発明の一実施形態を示すミストブロワの斜視図である。
【図２】流路開閉弁の斜視図である。
【図３】流路開閉弁の断面斜視図である。
【図４】流路を閉鎖した状態を示す流路開閉弁の断面図である。
【図５】流路を開放した状態を示す流路開閉弁の断面図である。
【図６】流路を閉鎖した状態におけるカム溝と係合ピンとの関係を示す図である。
【図７】流路を開放した状態におけるカム溝と係合ピンとの関係を示す図である。
【図８】本発明の他の実施形態を示す流路開閉弁の斜視図である。
【発明を実施するための形態】
【００１０】
図１乃至図７は、本発明の一実施形態を示すものである。
【００１１】
本発明のミストブロワ１０は、使用者が背負いながら薬液等の液体を散布する作業を行うものである。
【００１２】
このミストブロワ１０は、図１に示すように、前面側に位置する液タンク２０と、液タンク２０に取り付けられ、液タンク２０の下面側から後方に延びるフレーム３０と、フレーム３０の後側に位置するエンジン４０と、液タンク２０とエンジン４０との間に配置された送風機５０と、送風機５０の右側面から前方に延びる送風管６０と、を備えている。
【００１３】
液タンク２０は、上下方向に延びる中空状に形成されており、内部に散布用の薬液が貯蔵される。液タンク２０の前面には背当部２１が設けられ、背当部２１には使用者がミストブロワ１０を背負う際に肩に掛ける肩ベルト２２が設けられている。
【００１４】
フレーム３０は、管状の部材を屈曲することによって、液タンク２０の左右両側を上下方向に延びるとともに、それぞれの下端側から後方に延びるように形成されている。フレーム３０の幅方向両側を後方に延びる部分には、板状の部材が架け渡されており、その上にエンジン４０および送風機５０が取り付けられる。
【００１５】
エンジン４０は、４ストローク式のエンジンであり、送風機５０を駆動する動力源となる。
【００１６】
送風機５０は、回転軸がエンジン４０に連結された遠心ファンであり、右側面に送風管６０が接続されている。また、送風機５０には、液タンク２０内を加圧するための加圧管５１の一端が接続され、加圧管５１の他端が液タンク２０の上部側に接続されている。
【００１７】
送風管６０は、円筒形状の部材からなり、可撓性を有する蛇腹管６１を介して送風機５０に接続されている。送風管６０には、外周部から上方に延びるように設けられ、使用者が右手で把持するための把持部としてのハンドル６２が設けられている。ハンドル６２の上部には、ハンドル６２を把持した手で操作可能なスロットルレバー６２ａが設けられ、スロットルレバー６２ａの操作によってエンジン４０の回転数が調整可能である。また、送風管６０の先端側には、送風管６０を流通する空気と薬液とを混合するための混合部６３が設けられている。さらに、混合部６３の先端側には、混合部６３において混合された空気および薬液を噴出させるためのノズル６４が設けられている。ここで、混合部６３には、送液管７０を介して液タンク２０内の薬液が流入する。
【００１８】
送液管７０は、一端が液タンク２０の下部に接続され、他端側がハンドル６２の近傍まで送風管６０に沿って延びるタンク側送液管７１と、一端が混合部６３に接続され、他端側がハンドル６２の近傍まで送風管６０に沿って延びる混合部側送液管７２と、を有している。タンク側送液管７１の他端と混合部側送液管７２の他端とは、流路開閉弁８０を介して接続されている。
【００１９】
流路開閉弁８０は、図１に示すように、使用者が送風管６０のハンドル６２を右手で把持してミストブロワ１０を使用する際に、使用者の体が位置する側（左手側）である送風管６０の左面、且つ、ハンドル６２の基端の近傍に設けられている。流路開閉弁８０は、使用者がハンドル６２を右手で把持した状態において左手で容易に操作可能である。
【００２０】
流路開閉弁８０は、図２および図３に示すように、タンク側送液管７１と混合部側送液管７２とが接続される弁本体８１と、弁本体８１に設けられた薬液の流路を開閉可能な弁体８２と、弁体８２による流路の開閉を切換えるための操作ボタン８３と、操作ボタン８３の操作毎に、流路の開閉を切換えるためのオルタネイト機構８４と、を有している。
【００２１】
弁本体８１は、内部に断面円形状の上下方向に延びる空間８１ａを有し、空間８１ａの上端側が開口されている。弁本体８１の側面には、空間８１ａの下部側に連通するように設けられ、タンク側送液管７２の他端が接続される液流入口８１ｂが設けられている。また、弁本体８１の側面には、液流入口８１ｂの上方に位置する空間８１ａに連通するように設けられ、混合部側送液管７２の他端が接続される液流出口８１ｃが設けられている。空間８１ａの液流入口８１ｂと液流出口８１ｃとの間の高さ位置には、弁体８２によって開閉される連通孔８１ｄが設けられている。空間８１ａは、連通孔８１ｄの上側の内径寸法よりも下側の内径寸法が大きく形成されている。また、弁本体８１の上部側には、操作ボタン８３の前後方向両側を囲むように、操作ボタン８３の上端よりもやや上方まで延びる一対の壁８１ｅが設けられている。
【００２２】
弁体８２は、空間８１ａの上部側の内径寸法とほぼ同一の外径寸法を有する円柱状の部材であり、空間８１ａ内を上下方向に移動可能に設けられている。弁体８２の下端には、外周方向に連続して径方向外側に延びるように設けられ、空間８１ａの上部側の内径寸法より大きい外径寸法を有するフランジ８２ａが設けられている。フランジ８２ａの上面側には、シール部材としてのＯリング８２ｂが取り付けられており、弁体８２を上方に移動させると、フランジ８２ａおよびＯリング８２ｂによって連通孔８１ｄが閉鎖される。弁体８２の上下方向中央部には、外径寸法が他の部分よりも小さく形成された縮径部８２ｃが設けられ、縮径部８２ｃの周りを薬液が流通可能である。弁体８２の上部側には、空間８１ａと弁体８２との間の位置し、空間８１ａ内の気密を保持するためのＯリング８２ｄが設けられている。また、弁本体８１の底面と弁体８２の下端との間には、圧縮ばね８２ｅが設けられており、弁体８２が連通孔８１ｄを閉鎖する方向に付勢されている。
【００２３】
操作ボタン８３は、端部が閉鎖された筒状の部材からなり、弁体８２の上端に固定されている。操作ボタン８３は、使用者の左手で押下操作可能である。操作ボタン８３は、操作される面が上方に向くようになっており、上方から下方に向かって押下操作可能である。
【００２４】
オルタネイト機構８４は、操作ボタン８３の外周部に設けられたカム溝８５と、弁本体８１に設けられ、先端がカム溝８５に係合する係合ピン８６と、を有している。
【００２５】
カム溝８５は、無端状のハート形状に形成されている。カム溝８５の溝底には、周方向一方に向かって上り傾斜となる傾斜面８５ａ，８５ｂ，８５ｃ，８５ｄと段差８５ｅ，８５ｆ，８５ｇ，８５ｈとがそれぞれ複数設けられている。
【００２６】
係合ピン８６は、上下方向に延びる可撓性を有する部材からなり、基端側が弁本体８１に固定され、先端側がカム溝８５側に屈曲されて先端がカム溝８５の溝底に係合している。
【００２７】
以上のように構成されたミストブロワにおいて、エンジン４０の動力によって送風機５０を駆動させると、送風機５０の周囲の空気を吸入し、吸入した空気を送風管６０内に流通させ、ノズル６４から噴出させる。ここで、ノズル６４から噴出する空気の風量は、スロットルレバー６２ａの操作によって調整可能である。この状態で、図４に示すように、流路を閉鎖している流路開閉弁８０の操作ボタン８３を操作すると、図５に示すように、弁体８２が下方に移動して連通孔８１ｄが開放される。このとき、液タンク２０内の薬液は、タンク側送液管７１、混合部側送液管７２を流通して、混合部６３において送風管６０を流通する空気と混合され、空気と共にノズル６４から噴出される。
【００２８】
また、図５に示すように、流路を開放している流路開閉弁８０の操作ボタン８３を操作すると、図４に示すように、弁体８２が上方に移動して連通孔８１ｄが閉鎖される。このとき、液タンク２０内の薬液は、流路開閉弁８０において流通が規制され、ノズル６４からの噴出が停止される。
【００２９】
図４に示す流路を閉鎖している流路開閉弁８０において、オルタネイト機構８４では、図６に示すように、係合ピン８６の先端がカム溝８５の下部側の頂部８５ｉに保持されている。この状態で使用者が操作ボタン８３の押下操作を行うと、操作ボタン８３および弁体８２が下方に移動し、係合ピン８６の先端は、図６の実線の矢印に示すように、段差８５ｈによって移動方向が規制されて傾斜面８５ａ上を移動し、段差８５ｅを乗り越える。係合ピン８６の先端が段差８５ｅを乗り越えた後に使用者が操作ボタン８３から手を離すと、操作ボタン８３および弁体８２は、圧縮ばね８２ｅの付勢力によって上方に移動する。このとき、係合ピン８６の先端は、図６の破線の矢印に示すように、段差８５ｅによって移動方向が規制されて傾斜面８５ｂを移動し、図７に示すように、係合ピン８６の先端がカム溝８５の上部側の頂部８５ｊに保持された状態となる。これにより、弁体８２は、連通孔８１ｄを開放した状態となる。
【００３０】
また、図５に示す流路を開放している流路開閉弁８０において、オルタネイト機構８４では、図７に示すように、係合ピン８６の先端がカム溝８５の上部側の頂部８５ｊに保持されている。この状態で使用者が操作ボタン８３の押下操作を行うと、操作ボタン８３および弁体８２が下方に移動し、係合ピン８６の先端は、図７の実線の矢印に示すように、段差８５ｆによって移動方向が規制されて傾斜面８５ｃ上を移動し、段差８５ｇを乗り越える。係合ピン８６の先端が段差８５ｇを乗り越えた後に使用者が操作ボタン８３から手を離すと、操作ボタン８３および弁体８２は、圧縮ばね８２ｅの付勢力によって上方に移動する。このとき、係合ピン８６の先端は、図７の破線の矢印に示すように、段差８５ｇによって移動方向が規制されて傾斜面８５ｄ上を移動し、図６に示すように、係合ピン８６の先端がカム溝８５の下部側の頂部８５ｉに保持された状態となる。これにより、弁体８２は、連通孔８１ｄを閉鎖した状態となる。
【００３１】
このように、本実施形態のミストブロワによれば、送風管６０には、使用者が使用時に右手で把持するハンドル６２が設けられ、ハンドル６２の近傍には、押下操作可能な操作ボタン８３が設けられ、操作ボタン８３の押下操作毎に流路開閉弁８０の開閉が切換えられる。これにより、簡単な左手による操作ボタン８３の同じ押下操作によって確実に連通孔８１ｄが開放または閉鎖された状態に切り換わるので、使用者の手や体が不用意に操作ボタン８３に接触する機会が減り、使用者が気付かずに連通孔８１ｄが開放されて薬液が放出されるという不都合が生じることを防止できる。
【００３２】
また、操作ボタン８３は、送風管６０における、使用者のハンドル６２を把持する右手と反対の左手側に配置されている。これにより、左手による操作ボタン８３の操作を容易に行うことができるので、必要に応じてすぐに薬液散布を停止できて、安全に効率よく作業できる。
【００３３】
また、操作ボタン８３は、上方から下方に向かって押下操作可能に構成されている。これにより、送風管６０を把持した使用者が操作ボタン８３を視認しやすくなるとともに、無理なく親指で操作できるので、薬液の散布作業を安全に効率よく行うことができる。
【００３４】
また、送風管６０から上方に延びるようにハンドル６２が設けられるので、送風管６０の操作が容易である。さらに、ハンドル６２の基端部の近傍に操作ボタン８３が設けられている。これにより、必要に応じてハンドル６２を握る右手を容易に左手に近づけることができるので、薬液散布を緊急に停止できる。
【００３５】
また、操作ボタン８３の少なくとも一部を囲む壁８１ｅが設けられている。これにより、使用者の手や体が不用意に操作ボタン８３に接触して操作ボタン８３が操作されることがなく、薬液の散布作業の誤動作を防止することが可能となる。
【００３６】
図８は本発明の他の実施形態を示すものである。尚、前記実施形態と同様の構成部分には同一の符号を付して示す。
【００３７】
このミストブロワ１０は、流路開閉弁８０がオルタネイト機構８４を備えておらず、操作ボタン８３を押下げている間だけ薬液の流路が開放される。また、操作ボタン８３は、一対の壁８１ｅの間で揺動可能である。さらに、操作ボタン８３の下部には、図８に示すように、前方の壁８１ｗ側に向かって突出する突出部８３ａが設けられている。また、前方の壁８１ｅの下部側には、図８に示すように、操作ボタン８３を押下げた状態で突出部８３ａが前方に移動する方向に回転させることによって突出部８３ａが係合可能であり、操作ボタン８２の上方への移動を規制するための規制部８１ｆが設けられている。
【００３８】
以上のように構成されたミストブロワにおいて、流路開閉弁８０の薬液の流路を開放する場合には、操作ボタン８３を、押下操作した後に、突出部８３ａが前方に移動する方向に回転させて突出部８３ａを規制部８１ｆに係合させる。これにより、流路開閉弁８０の薬液の流路の開放状態が維持される。また、流路開閉弁８０の薬液の流路が開放されている状態において、薬液の流路を閉鎖する場合には、操作ボタン８３を、押下操作した後に、突出部８３ａが後方に移動する方向に回転させて突出部８３ａと規制部８１ｆとの係合を解除する。これにより、流路開閉弁８０は、圧縮ばね８２ｅの付勢力によって薬液の流路が閉鎖される。
【００３９】
このように、本実施形態のミストブロワによれば、前記実施形態と同様に、簡単な左手による操作ボタン８３の押下操作によって確実に連通孔８１ｄが開放または閉鎖された状態に切り換わるので、使用者の手や体が不用意に操作ボタン８３に接触する機会が減り、使用者が気付かずに連通孔８１ｄが開放されて薬液が放出されるという不都合が生じることを防止できる。
【００４０】
尚、前記実施形態では、流路開閉弁８０の弁体８２の端部に操作ボタン８３を固定し、操作ボタン８３の押下操作によって弁体８２を移動させるようにしたものを示したが、これに限られるものではない。例えば、流路開閉弁と別部品の操作ボタンを設け、流路開閉弁に弁体を移動させるためのソレノイドを設け、操作ボタンの操作でソレノイドに電流を流すことによって弁体を移動させるようにしてもよい。
【００４１】
また、前記実施形態では、１つの圧縮ばね８２ｅによって、操作ボタン８３を押下方向と反対方向に付勢するとともに、弁体８２を連通孔８１ｄを開放する方向に付勢するようにしているがこれに限られるものではない。例えば、操作ボタン８３を押下方向と反対方向に付勢する付勢手段と、連通孔８１ｄを開放する方向に弁体８２を付勢する付勢手段と、に対してそれぞれ専用の圧縮ばねを用いるようにしてもよい。
【００４２】
また、前記実施形態では、壁８１ｅを操作ボタン８３の前後方向両側に設けたものを示したが、これに限られるものではない。例えば、壁は、操作ボタン８３の前後方向一方に設けるようにしてもよいし、操作ボタン８３の外周部全体を囲むようにしてもよく、操作ボタン８３の少なくとも一部を囲むように設けられるものであればよい。
【００４３】
また、前記実施形態では、壁８１ｅの上端が操作ボタン８３の上端よりもやや上方まで延びるようにしたものを示したが、これに限られるものではない。例えば、連通孔８１ｄの開閉の切換えが生じない操作ボタン８３の移動距離の範囲内であれば、壁８１ｅの上端から操作ボタン８３の上端が露出していてもよい。
【符号の説明】
【００４４】
１０…ミストブロワ、５０…送風機、６０…送風管、６２…ハンドル、７０…送液管、８０…流路開閉弁、８１ｅ…壁、８３…操作ボタン、８４…オルタネイト機構。
【図１】
2013085539.tif 000003
【図２】
2013085539.tif 000004
【図３】
2013085539.tif 000005
【図４】
2013085539.tif 000006
【図５】
2013085539.tif 000007
【図６】
2013085539.tif 000008
【図７】
2013085539.tif 000009
【図８】
2013085539.tif 000010